(57)【要約】      （修正有）【課題】航空機内において選択性の煙検知感度を実現するための方法を提供する。【解決手段】当該方法は、１つ又は複数の感度選択可能煙検知アセンブリを設置する工程（２０２）を有する。当該方法は、さらに、航空機内に設置された１つ又は複数の感度選択可能煙検知アセンブリを、航空機内に設置された１つ又は複数の感度選択制御部に、電気的に又は無線によって接続する工程（２０４）をさらに有する。当該方法は、航空機の飛行目的、航空機の貨物のタイプ、航空機のコンパートメントゾーン特定エリアのタイプ、及び、航空機の占有状態の１つ又は複数を含む感度レベル決定ファクターに基づいて、１つ又は複数の感度選択可能煙検知アセンブリのそれぞれについて、２つ以上の警報設定値感度レベルから警報設定値感度レベルを選択する工程（２０６）をさらに含む。【選択図】図６
2016104617.tif 000002
【特許請求の範囲】
【請求項１】
航空機内において選択性の煙検知感度を実現するための方法であって、
前記航空機内に１つ又は複数の感度選択可能煙検知アセンブリを設置する工程と、
前記航空機内に設置された１つ又は複数の感度選択可能煙検知アセンブリを、前記航空機内に設置された１つ又は複数の感度選択制御部に、電気的に又は無線によって接続する工程と、
前記航空機の飛行目的、前記航空機の貨物のタイプ、前記航空機のコンパートメントゾーン特定エリアのタイプ、及び、前記航空機の占有状態、の１つ又は複数を含む感度レベル決定ファクターに基づいて、前記１つ又は複数の感度選択可能煙検知アセンブリのそれぞれについて、２つ以上の警報設定値感度レベルから１つの警報設定値感度レベルを選択する工程と、を含む方法。
【請求項２】
利用者が、選択された前記警報設定値感度レベルを、異なる警報設定値感度レベルに変更するまで、前記選択された警報設定値感度レベルを維持する工程をさらに含む、請求項１に記載の方法。
【請求項３】
前記１つ又は複数の感度選択可能煙検知アセンブリにおける、１つ又は複数のセンサー、制御装置、及びシステムロジックを用いて、リアルタイムで、前記選択された警報設定値感度レベルを自動的に変更する工程をさらに含む、請求項１に記載の方法。
【請求項４】
前記１つ又は複数の感度選択可能煙検知アセンブリが、前記警報設定値感度レベルの所定の閾値を満たす航空機エリア内の煙濃度レベルを測定及び検知することに応答して、警報信号を生成する工程をさらに含む、請求項１に記載の方法。
【請求項５】
前記１つ又は複数の感度選択可能煙検知アセンブリを電気的に又は無線によって接続する工程は、前記１つ又は複数の感度選択可能煙検知アセンブリを、前記１つ又は複数の感度選択可能煙検知アセンブリのそれぞれに配置された、又はこれに隣接して配置された煙感度選択制御スイッチを含む１つ又は複数の感度選択制御部に、電気的に又は無線によって接続することを含む、請求項１に記載の方法。
【請求項６】
前記１つ又は複数の感度選択可能煙検知アセンブリを電気的に又は無線によって接続する工程は、コックピット、キャビン／乗客エリア、メインデッキ貨物室、電気装備品室、前方貨物室、ウィングボックス、後方貨物室、バルク貨物室、クローゼット、荷物保管コンパートメント、化粧室、乗務員休憩室、及びギャレーを含む１つ又は複数の航空機エリアに配置された煙感度選択制御スイッチを含む１つ又は複数の煙感度選択制御部に、前記１つ又は複数の感度選択可能煙検知アセンブリを、電気的に又は無線によって接続することを含む、請求項１に記載の方法。
【請求項７】
前記警報設定値感度レベルを選択する工程は、前記１つ又は複数の感度選択可能煙検知アセンブリのそれぞれに対して遠隔的に又は近接した位置から、前記警報設定値感度レベルを選択することを含む、請求項１に記載の方法。
【請求項８】
前記警報設定値感度レベルを選択する工程は、マスター感度選択制御部を用いて、前記１つ又は複数の感度選択可能煙検知アセンブリのすべてについて、一度に前記警報設定値感度レベルを選択及び設定すること含む、又は、選択的感度選択制御部を用いて、前記１つ又は複数の感度選択可能煙検知アセンブリの１つ又は複数について、一度に前記警報設定値感度レベルを選択及び設定することを含む、請求項１に記載の方法。
【請求項９】
前記警報設定値感度レベルを選択する工程は、環境制御システム設定の感度レベル決定ファクターに基づいて、前記警報設定値感度レベルを選択することを含む、請求項１に記載の方法。
【発明の詳細な説明】
【技術分野】
【０００１】
本開示は、概して煙検知システム及び方法に関し、より具体的には、商業用旅客機及び貨物輸送機などの飛行体に用いられる、選択性の煙検知感度システム及び方法に関する。
【背景技術】
【０００２】
従来、商業用旅客機や貨物輸送機などの飛行体に用いられる、周知の煙検知方法及び煙検知システムがある。通常、このような煙検知方法及びシステムは、航空機のエリア内で煙の濃度が所定のレベルになると、煙検知システムが始動し、フライトデッキで警報が鳴って火災を知らせる構成である。煙検知システムの感度は、発煙／火災を検知するのに要する時間を左右する重要なファクターである。発煙又は火災の検知が早ければ早いほど、初期の段階で運航乗務員が消火システムを始動し、飛行体を空港に向かわせることができる。
【０００３】
しかしながら、従来の煙検知方法及びシステムでは、通常、警報設定値が１つしかなく、また、この警報設定値は、例えば、実験及び飛行試験に基づき、誤警報を防止するためにできるだけ高く（すなわち感度が低く）設定される。このような誤警報防止システムは、ある種の貨物（例えば、生花、魚など）が、水蒸気や、ほこり、又はその他の誤警報要因物質を出すことによって誤警報が誘発されることを想定している。
【０００４】
一方、誤警報を誘発する貨物を輸送しない場合には、「低感度」検知器ではなく、より感度の高いシステムが望まれるであろう。例えば、貨物としてリチウム電池などの電池を輸送する場合、誤警報の可能性は低く、早期の検知が望ましい。しばしば、パッケージ、機械、電池などの不活性な貨物が輸送されるが、これらが誤警報を引き起こすリスクは低い。このような場合、従来の煙検知方法及びシステムは、誤警報防止のために不必要に「低感度化」されたものとなる。また、従来の煙感知方法及びシステムは、運航乗務員が航空機内の煙検知感度を上げようとしても、そのような変更が困難な構成であり、感度変更のためには全く別の煙検知器を設置する必要がある。
【０００５】
従って、従来の方法及びシステムに勝る利点を有する、選択性の煙検知感度を実現するための改善された方法及びシステムが当技術分野において必要とされている。
【発明の概要】
【０００６】
本開示の例示的な実施態様によれば、選択性の煙検知感度を実現するための改善された方法及びシステムが提供される。下記の詳細な説明で述べるように、選択性の煙検知感度を実現するための、改善された方法及びシステムの実施形態は、既存のシステム及び方法に勝る大きな利点を有する。
【０００７】
一実施形態において、航空機内において選択性の煙検知感度を実現するための方法が提供される。当該方法は、航空機内に１つ又は複数の感度選択可能煙検知アセンブリを設置する工程を含む。
【０００８】
当該方法は、航空機内に設置された１つ又は複数の感度選択可能煙検知アセンブリを、航空機内に設置された１つ又は複数の感度選択制御部に、電気的に又は無線によって接続する工程をさらに含む。当該方法は、航空機の飛行目的、航空機の貨物のタイプ、航空機のコンパートメントゾーン特定エリアのタイプ、及び、航空機の占有状態、の１つ又は複数を含む感度レベル決定ファクターに基づいて、１つ又は複数の感度選択可能煙検知アセンブリのそれぞれについて、２つ以上の警報設定値感度レベルから警報設定値感度レベルを選択する工程をさらに含む。
【０００９】
別の実施形態において、航空機内において選択性の煙検知感度を実現するための方法が提供される。当該方法は、航空機内に１つ又は複数の感度選択可能煙検知アセンブリを設置する工程を含む。さらに、当該方法は、２つ以上の警報設定値感度レベルから選択された警報設定値感度レベルを、航空機システム状態及び航空機構成状態の１つ又は複数を含む感度レベル決定ファクターに基づいて、リアルタイムで自動的に変更するために、前記航空機内の前記１つ又は複数の感度選択可能煙検知アセンブリを使用する工程をさらに含む。
【００１０】
別の実施形態において、航空機内において選択性の煙検知感度を実現するためのシステムが提供される。当該システムは、航空機内に設置された１つ又は複数の感度選択可能煙検知アセンブリを含む。
【００１１】
各感度選択可能煙検知アセンブリは、感度選択可能煙検知装置と、感度選択可能煙検知装置に電気的に又は無線によって接続された１つ又は複数のセンサーと、感度選択可能煙検知装置に接続された制御装置と、を含む。各感度選択可能煙検知アセンブリは、感度選択可能煙検知装置又は制御装置に接続されたシステムロジックをさらに含む。システムロジックは、航空機システム状態及び航空機構成状態の１つ又は複数を含む感度レベル決定ファクターに基づいて、リアルタイムで、２つ以上の警報設定値感度レベルを自動的に変更するように構成される。
【００１２】
各感度選択可能煙検知アセンブリは、１つ又は複数のセンサーによって測定され、各感度選択可能煙検知装置あるいは制御装置に入力されて、システムロジックによって処理される、１つ又は複数のシステム入力をさらに含む。各感度選択可能煙検知アセンブリは、警報設定値感度レベルがトリガーされた際に生成されるシステム出力をさらに含む。
【００１３】
上述した特徴、機能、利点は、本願の開示の様々な実施形態によって個別に達成することができ、あるいは、さらに他の実施形態と組み合わせてもよく、そのさらなる詳細は、以下の記載及び図面を参照することによってより明らかになるものである。
【図面の簡単な説明】
【００１４】
本開示は、以下の詳細な説明を添付図面と併せて参照することによってより理解されるであろう。添付図面は、好ましい例示的な実施形態を示しているが、必ずしも正確な縮尺率で描かれているものではない。
【００１５】
【図１】本開示のシステム及び方法の１つ又は複数の実施形態を導入しうる飛行体の斜視図である。
【図２】航空機の製造及びサービス方法のフロー図である。
【図３】航空機のブロック図である。
【図４Ａ】本開示による、選択可能な煙検知感度を可能にするシステムの一実施形態を示す概略図である。
【図４Ｂ】本開示による、選択可能な煙検知感度を可能にするシステムの別の実施形態を示す概略図である。
【図５Ａ】本開示のシステムの感度選択コントロールパネルを組み込んだ、航空機のコックピットの概略図である。
【図５Ｂ】図５Ａの感度選択コントロールパネルの拡大図であり、感度選択制御部を示す図である。
【図５Ｃ】図５Ａのコックピットの警報信号の拡大図である。
【図６】本開示の方法の一実施形態を示すフロー図である。
【図７】本開示の方法の別の実施形態を示すフロー図である。
【図８Ａ】本開示のシステムの一実施形態を示す機能ボックス図である。
【図８Ｂ】本開示のシステムの警報設定値感度レベルを決定するのに用いられる感度レベル決定ファクターを示す機能ボックス図である。
【発明を実施するための形態】
【００１６】
開示の実施形態を、以下に、添付図面を参照してより詳しく述べる。添付図面には、すべてではないがいくつかの開示の実施形態を図示している。実際、いくつかの異なる実施形態を提供することが可能であり、本明細書に記載された実施形態に限定されるものと解釈されるべきではない。むしろ、これらの実施形態は、本開示によって当業者に本開示の範囲が十分且つ完全に伝わるように提示したものである。
【００１７】
本願の各図面は、様々な実施形態の一側面における一例を示しており、以下では、主に相違点についてのみ詳しく述べる。
【００１８】
図面を参照すると、図１は、例えば航空機１２ａの形態をとる飛行体１２の斜視図である。当該飛行体に、本開示のシステム１０（図４Ａ〜４Ｂ、図８参照）、方法２００（図６参照）、又は方法３００（図７参照）の１つ又は複数の実施形態を導入することにより、飛行体１２、例えば航空機１２ａ内において選択性の煙検知感度を実現することができる。
【００１９】
図１に示すように、飛行体１２、例えば航空機１２ａは、胴体１４と、ノーズ１６と、主翼１８と、エンジン２０と、水平安定板２４及び垂直安定板２６を含む尾翼２２と、コックピット２８とを含む。さらに図１に示すように、航空機１２ａは、システム１０の一実施形態でもあり、当該システムは、感度が選択可能な煙検知アセンブリ７０、及び、有線又は無線による接続要素などの接続手段７３を介して互いに連結された感度選択コントロールパネル７２を有する。
【００２０】
図１に示した飛行体１２、例えば航空機１２ａは、システム１０の１つ又は複数の実施形態を備えた商業用旅客機であるが、本開示の実施形態の教示は、他の旅客機、貨物輸送機、軍用機、回転翼航空機、及び他のタイプの航空機又は飛行体、ならびに、航空宇宙ビークル、人工衛星、宇宙打ち上げロケット、ロケット、及び他の航空宇宙ビークル、ならびに、列車、トラック、自動車、船舶、船、潜水艦などの乗り物、ならびに、倉庫、又は本開示のシステム１０の１つ又は複数の実施形態の導入に適した他の構造体に適用することができる。
【００２１】
図２は、航空機の製造及びサービス方法３０のフロー図である。図３は、航空機５０のブロック図である。図２〜図３を参照しつつ、本開示の実施形態について、図２に示す航空機の製造及びサービス方法３０、並びに図３に示す航空機５０に基づき説明する。
【００２２】
一例として、航空機の製造及びサービス方法３０は、生産開始前の工程として、航空機５０の仕様決定及び設計３２と、材料調達３４とを含む。生産中の工程としては、航空機５０の部品及び小組立品（subassembly）の製造３６及びシステムインテグレーション３８が行われる。その後、航空機５０は、例えば認証及び納品４０の工程を経て、就航及び使用期間４２に入る。顧客による使用期間４２では、航空機５０は、定期的なメンテナンス及び各種サービス４４のスケジュールに組み込まれる。（これには、例えば、変更、再構成、改装及び他の適当なアフターサービスなどが含まれる。）
【００２３】
航空機の製造及びサービス方法３０の各工程は、例えば、システムインテグレーター、第三者、及び／又はオペレーター（例えば顧客）によって実行または実施することができる。なお、システムインテグレーターは、例えば、航空機メーカー及び主要システムの下請業者を任意の数だけ含んでいる。第三者は、売主、下請業者、供給業者をいくつ含んでいてもよく、特に限定されない。オペレーターは、例えば、航空会社、リース会社、軍事団体、サービス組織、及び他の適当なオペレーターであってもよい。
【００２４】
図３に示すように、航空機の製造及びサービス方法３０によって製造される航空機５０は、例えば、機体５２に加えて、複数のシステム５４および内装５６を備えている。複数のシステム５４の例としては、駆動系統５８、電気系統６０、油圧系統６２および環境系統６４などが挙げられる。また、その他のシステムをいくつ含んでいてもよい。また、宇宙空間を含む航空産業に用いた場合を例として挙げているが、本開示の原理は、例えば、自動車産業、トラック運送産業、船や潜水艦などの船舶産業、倉庫産業、および他の適当な産業に適用することもできる。
【００２５】
本明細書に記載した方法及びシステムは、例示的な航空機の製造及びサービス方法３０における段階のうち、任意の１つ又は複数の段階において採用することができる。例えば、部品及び小組立品製造工程３６に対応する部品又は小部品は、航空機５０の使用期間４２中に作製される部品又は小部品と同様に作製することができる。また、１つ又は複数の装置の実施形態、方法の実施形態、又はそれらの組み合わせを、例えば、部品及び小部品製造工程３６及びシステムインテグレーション工程３８中に用いることによって、実質的に航空機５０の組み立て速度を速めたりコストを削減したりすることができる。同様に、装置の実施形態、方法の実施形態、又はそれらの組み合わせの１つ又は複数を、航空機５０のサービス中に、例えば、メンテナンス及びサービス４４に用いてもよいが、これに限定されない。
【００２６】
本開示の一実施形態において、図４Ａ〜図４Ｂ及び図８Ａに示すように、例えばシステム１０ａ（図４Ａ参照）又はシステム１０ｂ（図４Ｂ参照）の形態をとるシステム１０が提供される。当該システムは、例えば航空機１２ａの形態をとる飛行体１２において、選択性の煙検知感度を実現するためのものである。図４Ａは、システム１０ａの形態としての、選択性の煙検知感度を実現するためのシステム１０の一実施形態を示す概略図である。図４Ｂは、システム１０ｂの形態としての、選択性の煙検知感度を実現するためのシステム１０の実施形態を示す概略図である。図８Ａは、本開示のシステム１０の一実施形態を示す機能ボックス図である。
【００２７】
図４Ａ〜図４Ｂ及び図８Ａに示すように、例えば航空機１２ａの形態である飛行体１２は、航空機１２ａ内において選択性の煙検知感度を実現するためのシステム１０（図８Ａ参照）を備えている。図４Ａは、商業用旅客機などの航空機１２ａに設置されるシステム１０ａの形態としての、システム１０の一実施形態を示している。
【００２８】
図４Ａに示すように、商業用旅客機などの航空機１２ａは、複数の航空機エリア７４を含み、当該エリアは、１つ又は複数のコンパートメントゾーン特定エリア１２８に分類することができる。図４Ａにさらに示すように、１つ又は複数のコンパートメントゾーン特定エリア１２８に分類することができる上記航空機エリア７４は、好ましくは、コックピット２８、キャビン／乗客エリア７６ａ、電気装備品室７８、前方貨物室８０、ウィングボックス８２、後方貨物室８４、及び、バルク貨物室８６を含む。キャビン／乗客エリア７６ａ（図４Ａ参照）は、例えば、１つ又は複数のクローゼット／荷物保管コンパートメント８８（図４Ａ参照）、１つ又は複数の化粧室９０（図４Ａ参照）、１つ又は複数の乗務員休憩室９２（図４Ａ参照）、及び、１つ又は複数のギャレー９４を含む。
【００２９】
図４Ａに示すように、コックピット２８及びキャビン／乗客エリア７４は、航空機１２ａのアッパーデッキ６６に位置する航空機エリア７４である。アッパーデッキ６６は、一般的には乗客及び運航乗務員によって使用される、航空機１２ａの占有エリアである。
【００３０】
図４Ａに示すように、電気装備品室７８、前方貨物室８０、ウィングボックス８２、後方貨物室８４、及び、バルク貨物室８６は、航空機１２ａのロワーデッキ６８に位置する航空機エリア７４である。ロワーデッキ６８は、航空機１２ａの非占有エリアである。一例として、貨物１２６（図４Ａ参照）が、後方貨物室８４（図４Ａ参照）に保管された状態が示されている。ただし、貨物１２６（図４Ａ参照）は、航空機１２ａ（図４Ａ参照）の他の貨物エリアに保管してもよい。
【００３１】
図４Ｂは、別の実施形態における、システム１０ｂの形態をとるシステム１０を示しており、これは、貨物輸送機などの航空機１２ａに設置されるものである。図４Ｂに示すように、貨物輸送機などの航空機１２ａは、複数の航空機エリア７４を含み、当該エリアは、１つ又は複数のコンパートメントゾーン特定エリア１２８に分類することができる。図４Ｂにさらに示すように、１つ又は複数のコンパートメントゾーン特定エリア１２８に分類される上記航空機エリア７４は、好ましくは、コックピット２８、メインデッキ貨物室７６ｂ、電気装備品室７８、前方貨物室８０、ウィングボックス８２、後方貨物室８４、及び、バルク貨物室８６を含む。
【００３２】
図４Ｂに示すように、コックピット２８及びメインデッキ貨物室７６ｂは、航空機１２ａのアッパーデッキ６６に位置する航空機エリア７４であり、電気装備品室７８、前方貨物室８０、ウィングボックス８２、後方貨物室８４、及び、バルク貨物室８６は、航空機１２ａのロワーデッキ６８に位置する航空機エリア７４である。貨物１２６（図４Ｂ参照）は、後方貨物室８４（図４Ｂ参照）に保管された状態が示されている。ただし、貨物１２６（図４Ｂ参照）は、航空機１２ａ（図４Ｂ参照）の他の貨物エリアに保管することもできる。
【００３３】
図４Ａ〜図４Ｂ及び図８に示すように、システム１０は、航空機１２ａ内に設置された１つ又は複数の感度選択可能煙検知アセンブリ７０を含む。図４Ａに示した、システム１０ａの形態をとるシステム１０の実施形態において、システム１０は、好ましくは、キャビン／乗客エリア７６ａのクローゼット／荷物保管コンパートメント８８、化粧室９０、乗務員休憩室９２及びギャレー９４に配置された１つ又は複数の感度選択可能煙検知アセンブリ７０を含む。また、図４Ａに示した、システム１０ａの形態をとるシステム１０の実施形態において、システム１０は、好ましくは、電気装備品室７８、前方貨物室８０、ウィングボックス８２、後方貨物室８４、及び、バルク貨物室８６に配置された１つ又は複数の感度選択可能煙検知アセンブリ７０を含む。
【００３４】
図４Ｂに示した、システム１０ｂの形態をとるシステム１０の実施形態において、システム１０は、好ましくは、メインデッキ貨物室７６ｂに設置された１つ又は複数の感度選択可能煙検知アセンブリ７０を含む。また、図４Ｂに示した、システム１０ｂの形態をとるシステム１０の実施形態において、システム１０は、好ましくは、電気装備品室７８、前方貨物室８０、ウィングボックス８２、後方貨物室８４、及び、バルク貨物室８６に配置された１つ又は複数の感度選択可能煙検知アセンブリ７０を含む。
【００３５】
図４Ａ〜図４Ｂにさらに示すように、１つ又は複数の感度選択可能煙検知アセンブリ７０のそれぞれは、好ましくは、航空機１２ａ内に設置された１つ又は複数の感度選択コントロールパネル７２に、電気的に又は無線によって接続されている。図４Ａに示した、システム１０ａの形態をとるシステム１０の実施形態において、システム１０は、２つの感度選択コントロールパネル７２、すなわち、コックピット２８に配置された第１感度選択コントロールパネル７２ａと、キャビン／乗客エリア７６ａに配置された第２感度選択コントロールパネル７２ｂとを含む。図４Ｂに示した、システム１０ｂの形態をとるシステム１０の実施形態においては、システム１０は、１つの感度選択コントロールパネル７２、すなわち、コックピット２８に配置された第１感度選択コントロールパネル７２ａを含む。
【００３６】
図４Ａ〜図４Ｂ及び図８Ａに示すように、航空機１２ａ内に設置された１つ又は複数の感度選択可能煙検知アセンブリ７０のそれぞれは、感度の選択が可能な煙検知装置７１を含む。この感度選択可能煙検知装置７１は、イオン化領域タイプの感度選択可能煙検知装置、光電領域タイプの感度選択可能煙検知装置、光電（ダクト型又は周辺型）タイプの感度選択可能煙検知装置などの装置、又は他の適当な感度選択可能煙検知装置７１として構成することができる。
【００３７】
イオン化領域タイプの感度選択可能煙検知装置は、火災の際に燃焼プロセスによって生成されるイオン化粒子の存在を、これらの粒子が対流によって例えば化粧室９０（図４Ａ参照）又は乗務員休憩室９２（図４Ａ参照）内を移動する際に検知するように構成されている。イオン化領域タイプの煙検知装置は、感度選択可能煙検知装置７１を配置すべき航空機エリア７４（図４Ａ参照）の天井や上部側壁などに取り付けられる。
【００３８】
光電領域タイプの感度選択可能煙検知装置は、反射散乱光によって空気中の煙粒子の存在を検知するように設計されている。またこれらは、パイロットランプからの光がセンシングチャンバーを透過する位置において、対流によってセンシングチャンバーに運ばれる空気中の粒子も検知に利用している。煙が存在する場合、煙が光をフォトセルに反射し、警報を作動させる。これに代えて、高度な煙センサーに基づく光電検知器を用いることもでき、この場合は、互いに区別しうる２つ以上の波長を利用して煙の存在を特定し、煙と煙ではないエーロゾルとを区別することが可能である。これらも、航空機エリア７４（図４Ａ参照）における、感度選択可能煙検知装置７１が配置される箇所の天井又は上部側壁に取り付けることができる。
【００３９】
ダクト型の光電タイプ感度選択可能煙検知装置は、光電領域タイプの感度選択可能煙検知装置に類似しているが、例えば、感度選択可能煙検知装置７１が配置される航空機エリア７４の壁の裏側に取り付けることができる。ダクト型が、光電領域タイプの感度選択可能煙検知装置と異なるのは、ファンを用いて、空気サンプルを航空機エリア７４から、モニュメント壁又は天井に設けられた一連の空気サンプル口にひき込み、この空気がアルミニウム管マニホールドを通って検知器に送られる点である。
【００４０】
また、各感度選択可能煙検知アセンブリ７０（図４Ａ〜図４Ｂ及び図８Ａ参照）は、感度選択可能煙検知装置７１（図４Ａ〜図４Ｂ及び図８Ａ参照）に電気的に又は無線によって接続された１つ又は複数のセンサー１３２（図８Ａ参照）、及び、感度選択可能煙検知装置７１（図４Ａ〜図４Ｂ及び図８Ａ参照）に接続された制御装置１３４（図８Ａ参照）を含む。制御装置１３４（図８Ａ参照）は、好ましくは、コンピュータープロセッサー装置（ハードウェア及びソフトウェアを備える）１３４ａ（図８Ａ参照）を含む。
【００４１】
各感度選択可能煙検知アセンブリ７０（図４Ａ〜図４Ｂ及び図８Ａ参照）は、感度選択可能煙検知装置７１（図４Ａ〜図４Ｂ及び図８Ａ参照）又は制御装置１３４（図８Ａ参照）に接続されたシステムロジック１３６（図８Ａ参照）をさらに含む。システムロジック１３６（図８Ａ参照）は、好ましくは、リアルタイムで、２つ以上の警報設定値感度レベル１００（図５Ｂ及び図８Ａ参照）を、人の手を介することなく自動的に(autonomously)変更するように構成されている。システムロジック１３６（図８Ａ参照）は、好ましくは、アルゴリズム１３６ａ（図８Ａ参照）、ソフトウェアプログラム１３６ｂ（図８Ａ参照）、ファームウェアプログラム１３６ｃ（図８Ａ参照）、又は他の適当なシステムロジック１３６のうちの１つ又は複数を含む。
【００４２】
各感度選択可能煙検知アセンブリ７０（図４Ａ〜図４Ｂ及び図８Ａ参照）には、１つ又は複数のシステム入力１３８（図８Ａ参照）も含まれる。当該システム入力は、１つ又は複数のセンサー１３２（図８Ａ参照）によって測定され、感度選択可能煙検知装置７１（図４Ａ〜図４Ｂ及び図８Ａ参照）に入力されるか、あるいは、制御装置１３４（図８Ａ参照）に入力されて、システムロジック１３６（図８Ａ参照）によって処理される。さらに、各感度選択可能煙検知アセンブリ７０（図４Ａ〜図４Ｂ及び図８Ａ参照）には、システム出力１４０（図８Ａ参照）が含まれ、この出力は、警報設定値感度レベル１００（図８Ａ参照）がトリガーされた際に生成される。当該システム出力（図８Ａ参照）は、好ましくは、警報設定値感度レベル１００（図８Ａ参照）がトリガーされた際に生成される警報信号１１４（図５Ｂ及び図８Ａ参照）を含む。
【００４３】
各感度選択可能煙検知アセンブリ７０（図４Ａ〜図４Ｂ及び図８Ａ参照）は、セーフガードアセンブリ１５０（図８Ａ参照）をさらに含む構成としてもよい。このセーフガードアセンブリは、１つ又は複数の感度選択可能煙検知アセンブリ７０（図４Ａ〜図４Ｂ及び図８Ａ参照）と接続される。また、セーフガードアセンブリ１５０（図８Ａ参照）は、好ましくは、以下のものを１つ又は複数含んでいる。すなわち、ソフトウェア的なセーフガードアセンブリ１５０ａ（図８Ａ参照）、例えばデジタルパスワード又はデジタルコードなどのデジタルのエントリー識別手段；物理的なセーフガードアセンブリ１５０ｂ（図８Ａ参照）、例えばロックとキーによるハードウェア又は他の適当な物理的なセーフガード；場所的なセーフガードアセンブリ１５０ｃ（図８Ａ参照）、例えば、場所に応じて使用を制限するセーフガード；又は他の適当なセーフガードアセンブリ１５０（図８Ａ参照）、である。
【００４４】
図４Ａ〜図４Ｂに示すように、各感度選択コントロールパネル７２は、感度選択制御部９６（図５Ｂも参照）を含む。一実施形態において、感度選択制御部９６（図４Ａ〜図４Ｂ及び図５Ｂ参照）は、１つ又は複数の感度選択可能煙検知アセンブリ７０（図４Ａ〜図４Ｂ、図８Ａ参照）のすべてについて、一度に警報設定値感度レベル１００（図５Ｂ及び図８Ａ参照）を選択及び設定するためのマスター感度選択制御部９６ａ（図８Ａ参照）を含む。別の実施形態において、感度選択制御部９６（図４Ａ〜図４Ｂ及び図５Ｂ参照）は、１つ又は複数の感度選択可能煙検知アセンブリ７０（図４Ａ〜図４Ｂ、図８Ａ参照）の１つ又は複数について、一度に警報設定値感度レベル１００（図５Ｂ及び図８Ａ参照）を選択及び設定するための選択的感度選択制御部９６ｂ（図８Ａ参照）を含む。感度選択制御部９６（図４Ａ〜図４Ｂ及び図５Ｂ参照）は、１つ又は複数の感度選択可能煙検知アセンブリ７０（図４Ａ〜４Ｂ参照）のそれぞれに配置された、又はこれに隣接して配置された、煙感度選択制御スイッチ９８（図５Ｂ参照）を介して選択及び始動される。
【００４５】
図５Ａは、システム１０の感度選択コントロールパネル７２（図４Ａ〜図４Ｂも参照）を組み込んだ、航空機１２ａ（図１参照）のコックピット２８の概略図である。図５Ａは、航空機制御ディスプレイ１１１の第１コックピット位置１１０に設置された感度選択コントロールパネル７２を示している。感度選択コントロールパネル７２（図５Ａ参照）は、他の航空機制御部１１３（図５Ａ参照）の近くに配置してもよい。
【００４６】
また図５Ａは、第２コックピット位置１１２に設置された警報信号１１４を示している。図５Ａは、さらに、第３コックピット位置１２０に設置されたエンジン計器・乗務員警告システム１２２を示している。エンジン計器・乗務員警告システム（ＥＩＣＡＳ）１２２（図５Ａ参照）は、好ましくは、１つ又は複数のデータプロセッサーユニット１２４に接続されている。ＥＩＣＡＳは、典型的には、例えば毎分回転数、温度値、燃料の流量及び量、油圧、ならびに他のエンジンパラメータなど、様々なエンジンパラメータの計器を含む。ＥＩＣＡＳによってモニターされる航空機システムは、例えば、油圧系統、空圧系統、電気系統、除氷系統、環境系統、及び、制御面系統を含む。乗務員警告システム（ＣＡＳ）は、アナンシエーターパネルの代わりに使用することができる。半透明のボタンの後ろのライトを点灯させることによってシステム障害を知らせるのではなく、他のＥＩＣＡＳ表示の近傍の小さなウィンドウに、メッセージのリストとして障害が表示される。
【００４７】
図５Ｂは、図５Ａの感度選択コントロールパネル７２の拡大図であり、感度選択制御部９６を示している。図５Ｂは、煙感度選択制御スイッチ９８及び警報設定値感度レベル１００も示している。図５Ｂに示すように、感度選択コントロールパネル７２は、貨物火災インジケーター１０５用のＡＲＭ制御部１０１と、前方インジケーターのアームドコントロール１０２ａ及び前方インジケーターの前方コントロール１０２ｂを有する前方制御部１０２と、後方インジケーターのアームドコントロール１０４ａ及び前方インジケーターの前方コントロール１０４ｂを有する後方制御部１０４と、を含む。
【００４８】
感度選択コントロールパネル７２（図５Ｂ参照）は、火災／過熱テストインジケーター１０６ａ（図５Ｂ参照）とテストスイッチ１０６ｂ（図５Ｂ参照）とを含むテストスイッチアセンブリ１０６（図５Ｂ参照）をさらに含む。テストスイッチアセンブリ１０６（図５Ｂ参照）によって、コックピット２８（図５Ｂ参照）内の運航乗務員は、１つ又は複数のセンサー１３２（図８Ａ参照）及びシステム１０（図８Ａ参照）の電気的な完全性及び検出器センサーの完全性をチェックすることができる。これに代えて、テストスイッチアセンブリ１０６を各感度選択可能煙検知アセンブリ７０（図４Ａ〜図４Ｂ及び図８Ａ参照）のそれぞれに設けるか、あるいはそれぞれの近傍に設けて、運航乗務員又は貨物積載乗組員などの利用者が、センサー１３２（図８Ａ参照）及びシステム１０（図８Ａ参照）の電気的な完全性及び検出器センサーの完全性をいつでもチェックできるようにしてもよい。
【００４９】
感度選択コントロールパネル７２（図５Ｂ参照）は、ディスチャージコントロール部１０８（図５Ｂ参照）をさらに含み、これは、ディスチャージインジケーターのノーディスチャージコントロール部１０８ａ（図５Ｂ参照）と、ディスチャージインジケーターのディスチャージコントロール部１０８ｂとを有する。
【００５０】
図５Ｃは、図５Ａのコックピット２８の警報信号１１４の拡大図である。警報信号１１４（図５Ｃ参照）は、好ましくは、警告インジケーター１１６及び注意インジケーター１１８を含む。
【００５１】
図８Ａは、さらに、感度レベル決定ファクター１３０を含むシステム入力１３８を示している。感度レベル決定ファクター１３０（図８Ａ参照）の１つ又は複数を用いて、感度選択可能煙検知装置７１（図８Ａ参照）の警報設定値感度レベル１００（図８Ａ参照）を選択及び決定することができる。システム１０（図８Ａ参照）によれば、運航乗務員又は貨物積載乗組員などの利用者は、認定基準設定点を始めとし、これより高い感度設定点までの範囲のうちの１つ又は複数の警報設定値感度レベル１００（図８Ａ参照）を選択することができる。
【００５２】
本明細書において、「認定基準設定点」とは、連邦航空局（ＦＡＡ）によって設定された、現時点における認定基準レベルのことを意味し、これは現在のところ、発火から１分以内に感度選択可能煙検知アセンブリ７０及びシステム１０が警告を発することを意味している。なお、発火とは、煙粒子又は他の小さな空中浮遊粒子又は他の物質が発生し始めた状態をも含めるものとする。
【００５３】
感度選択可能煙検知アセンブリ７０（図８Ａ参照）の１つ又は複数のセンサー１３２は、感度レベル決定ファクター１３０（図８Ｂ参照）の１つを検知し、１つ又は複数の信号を測定し、当該信号測定値をシステム入力１３８（図８Ａ参照）としてシステムロジック１３６に送信する。システムロジック１３６は、制御装置１３４（図８Ａ参照）又は感度選択可能煙検知装置７１（図８Ａ参照）内にあり、当該システムロジック１３６は、１つ又は複数のセンサー１３２（図８Ａ参照）からシステム入力１３８（図８Ａ参照）を受け取り、一連の判定やロジックを行って、警報信号１１４（図５参照）をトリガーするかどうかを決定する。警報がトリガーされた場合は、警報信号１１４（図５参照）がシステム出力１４０に相当する。
【００５４】
警報信号１１４（図５Ｂ参照）をトリガーするか否かの決定に用いる判定又はロジックは、好ましくは、１つ又は複数の感度レベル決定ファクター１３０を用いて、システム１０（図８Ａ参照）の警報設定値感度レベル１００（図８Ａ参照）を決定することにより行われる。図８Ｂは、システム１０（図８Ａ参照）の警報設定値感度レベル１００（図８Ａ参照）を決定するのに用いられる感度レベル決定ファクター１３０を示す機能ボックス図である。図８Ｂに示すように、感度レベル決定ファクター１３０は、以下のうちの１つ又は複数に関するものを含んでいる。すなわち、航空機１２ａ（図１参照）の飛行目的１３０ａ、航空機１２ａ（図１参照）に搭載された貨物のタイプ１３０ｂ、航空機１２ａ（図１参照）のコンパートメントゾーン特定エリアのタイプ１３０ｃ、航空機１２ａ（図１参照）の占有状態１３０ｄ、航空機エリア７４（図８Ａ参照）内の煙濃度レベル１３０ｅ、航空機エリア７４（図８Ａ参照）内の水分含有量１３０ｆ、航空機エリア７４（図８Ａ参照）内の温度１３０ｇ、航空機エリア７４（図８Ａ参照）に存在するガスの種類１３０ｈ、航空機エリア７４（図８Ａ参照）に存在するガスの濃度１３０ｉ、航空機エンジンの動作状態１３０ｊ、航空機１２ａ（図１参照）の対気速度１３０ｋ、航空機１２ａ（図１参照）の高度１３０ｌ、航空機のドアの開閉状態１３０ｍ、航空機システム状態１３０ｎ、航空機１２ａ（図１参照）の環境制御システム設定１０３ｏ、環境制御システム構成１３０ｐ（航空機１２ａ（図１）を参照）、航空機空調システムのオンオフ状態１３０ｑ、貨物エリア空調システムのオンオフ状態１３０ｒ、航空機構成状態１３０ｓ、又は他の適当な感度レベル決定ファクター１３０、である。
【００５５】
本明細書において、「環境制御システム設定」とは、航空機１２ａ（図１参照）などの飛行体１２（図１参照）の環境制御システムに関する設定を意味しており、好ましくは、以下のものを含む。すなわち、空調システムが、例えば立方フィート／分（ｃｆｍ）単位で、どれだけの気流を出しているか又は移動させているか；どれだけの気流が、電気装備品室７８（図４Ａ〜図４Ｂ参照）、前方貨物室８０（図４Ａ〜図４Ｂ参照）、ウィングボックス８２（図４Ａ〜図４Ｂ参照）、後方貨物室８４（図４Ａ〜図４Ｂ参照）及びバルク貨物室８６（図４Ａ〜図４Ｂ参照）に対して、キャビン／乗客エリア７６ａ（図４Ａ参照）又はメインデッキ貨物室７６ｂ（図４Ｂ参照）に流入しているか；空調システムが出している又は移動させている気流の温度；空気再循環ファンがオンであるかオフであるか；及び／又は、機器冷却システム又は他の適当な航空機システムなどの航空機システム用の他のタイプのファンがオンであるかオフであるか、である。
【００５６】
別の実施形態において、航空機１２ａ（図１参照）内において選択性の煙検知感度を実現するための方法２００（図６参照）が提供される。図６は、本開示の方法２００の一実施形態を示すフロー図である。図６に示すように、方法２００は、航空機１２ａ（図４Ａ〜図４Ｂ参照）内に１つ又は複数の感度選択可能煙検知アセンブリ７０（図４Ａ〜図４Ｂ参照）を設置する工程２０２を含む。
【００５７】
図６に示すように、方法２００は、航空機１２ａ（図４Ａ〜図４Ｂ参照）内に設置された１つ又は複数の感度選択制御部９６（図４Ａ〜図４Ｂ参照）に、航空機１２ａ（図１参照）内に設置された１つ又は複数の感度選択可能煙検知アセンブリ７０（図４Ａ〜図４Ｂ参照）を、電気的に又は無線によって接続する工程２０４をさらに含む。１つ又は複数の感度選択可能煙検知アセンブリ７０（図４Ａ〜図４Ｂ参照）を電気的に又は無線によって接続する工程２０４は、例えば、１つ又は複数の感度選択可能煙検知アセンブリ７０（図４Ａ〜図４Ｂ参照）を、各感度選択可能煙検知アセンブリ７０（図４Ａ〜図４Ｂ参照）に配置された、又はこれに隣接して配置された煙感度選択制御スイッチ９８（図５Ｂ参照）を含む１つ又は複数の感度選択制御部９６（図５Ｂ参照）に、電気的に又は無線によって接続することを含む。
【００５８】
また、１つ又は複数の感度選択可能煙検知アセンブリ７０（図４Ａ〜図４Ｂ参照）を電気的に又は無線によって接続する工程２０４は、例えば、１つ又は複数の感度選択可能煙検知アセンブリ７０（図４Ａ〜図４Ｂ参照）を、航空機１２ａ（図４Ａ〜図４Ｂ参照）内の１つ又は複数の航空機エリア７４（図４Ａ〜図４Ｂ参照）に配置された煙感度選択制御スイッチ９８（図５Ｂ参照）を含む１つ又は複数の感度選択制御部９６（図５Ｂ参照）に、電気的に又は無線によって接続することを含む。１つ又は複数の航空機エリア７４（図４Ａ〜図４Ｂ参照）は、好ましくは、コックピット２８（図４Ａ〜図４Ｂ参照）、キャビン／乗客エリア７６ａ（図４Ａ参照）、メインデッキ貨物室７６ｂ（図４Ｂ参照）、電気装備品室７８（図４Ａ〜図４Ｂ参照）、前方貨物室８０（図４Ａ〜図４Ｂ参照）、ウィングボックス８２（図４Ａ〜図４Ｂ参照）、後方貨物室８４（図４Ａ〜図４Ｂ参照）、バルク貨物室８６（図４Ａ〜図４Ｂ参照）、クローゼット／荷物保管コンパートメント８８（図４Ａ参照）、化粧室９０（図４Ａ参照）、乗務員休憩室９２（図４Ａ参照）、及びギャレー９４（図４Ａ参照）を含む。
【００５９】
図６に示すように、方法２００は、１つ又は複数の感度選択可能煙検知アセンブリ７０（図４Ａ〜図４Ｂ参照）のそれぞれについて、２つ以上の警報設定値感度レベル１００（図５Ｂ参照）から、警報設定値感度レベル１００（図５Ｂ参照）を１つ選択する工程２０６をさらに含む。上記の２つ以上の警報設定値感度レベル１００（図５Ｂ参照）は、好ましくは、以下のうちの１つ又は複数を含むファクターに基づくものである。すなわち、航空機１２ａ（図１、図４Ａ〜図４Ｂ参照）の飛行目的、航空機１２ａ（図１、図４Ａ〜図４Ｂ参照）に搭載された貨物１２６の種類（図４Ａ〜図４Ｂ参照）、及び航空機１２ａ（図１、図４Ａ〜図４Ｂ参照）の占有状態１３０ｄ、である。
【００６０】
警報設定値感度レベル１００（図５Ｂ、図８Ａ参照）を選択する工程２０６は、一実施形態において、マスター感度選択制御部９６ａ（図８Ａ参照）を用いて、１つ又は複数の感度選択可能煙検知アセンブリ７０（図８Ａ参照）のすべてについて、一度に警報設定値感度レベル１００（図８Ａ参照）を選択及び設定することをさらに含む。警報設定値感度レベル１００（図５Ｂ、図８Ａ参照）を選択する工程２０６は、別の実施形態において、選択的感度選択制御部９６ｂ（図８Ａ参照）を用いて、１つ又は複数の感度選択可能煙検知アセンブリ７０（図８Ａ参照）の１つ又は複数について、一度に警報設定値感度レベル１００（図８Ａ参照）を選択及び設定することをさらに含む。
【００６１】
警報設定値感度レベル１００（図５Ｂ参照）を選択する工程２０６は、１つ又は複数の感度選択可能煙検知アセンブリ７０（図４Ａ〜図４Ｂ参照）のそれぞれに対して遠隔的に又は近接した位置から、警報設定値感度レベル１００（図５Ｂ参照）を選択することを含む。警報設定値感度レベル１００（図５Ｂ参照）を選択する工程２０６は、環境制御システム設定１０３ｏ（図８Ｂ参照）に基づいて、警報設定値感度レベル１００（図５Ｂ参照）を選択することを含む。
【００６２】
図６に示すように、方法２００は、選択された警報設定値感度レベル１００（図５Ｂ参照）を、利用者が別の警報設定値感度レベル１００（図５Ｂ参照）に変更するまで当該警報設定値感度レベル１００（図５Ｂ参照）を維持する任意選択の工程２０８をさらに含む。
【００６３】
図６に示すように、方法２００は、選択された警報設定値感度レベル１００（図５Ｂ参照）を、１つ又は複数の感度選択可能煙検知アセンブリ７０（図４Ａ〜図４Ｂ、図８Ａ参照）における１つ又は複数のセンサー１３２（図８Ａ参照）、制御装置１３４（図８Ａ参照）、及びシステムロジック１３６（図８Ａ参照）を用いて、リアルタイムで自動的に変更する任意選択の工程２１０をさらに含む。
【００６４】
方法２００（図６参照）は、１つ又は複数の感度選択可能煙検知アセンブリ７０（図４Ａ〜図４Ｂ参照）が、警報設定値感度レベル１００（図５Ｂ参照）の所定の閾値１４２（図８Ａ参照）を満たす煙濃度レベル１３０ｅ（図８Ｂ参照）を測定及び検知することに応答して、警報信号１１４（図５Ｃ参照）を生成する任意選択の工程２１２をさらに含む。
【００６５】
別の実施形態において、航空機１２ａ（図１参照）内において選択性の煙検知感度を実現するための方法３００（図７参照）が提供される。図７は、本開示の方法３００の一実施形態を示すフロー図である。
【００６６】
図７に示すように、方法３００は、航空機１２ａ（図１参照）内に１つ又は複数の感度選択可能煙検知アセンブリ７０（図４Ａ〜図４Ｂ参照）を設置する工程３０２を含む。図７に示すように、方法３００は、２つ以上の警報設定値感度レベル１００（図５Ｂ参照）から選択された警報設定値感度レベル１００（図５Ｂ参照）を、航空機システム状態１３０ｎ（図８Ｂ参照）及び航空機構成状態１３０ｓ（図８Ｂ参照）の１つ又は複数を含む感度レベル決定ファクター１３０（図８Ａ〜図８Ｂ参照）に基づいて、リアルタイムで自動的に変更するために、航空機１２ａ（図１参照）内の１つ又は複数の感度選択可能煙検知アセンブリ７０（図４Ａ〜図４Ｂ参照）を使用する工程３０４をさらに含む。
【００６７】
１つ又は複数の感度選択可能煙検知アセンブリ７０（図４Ａ〜図４Ｂ参照）を使用する工程３０４は、１つ又は複数の感度選択可能煙検知アセンブリ７０（図４Ａ〜図４Ｂ参照）の１つ又は複数のセンサー１３２（図８Ａ参照）、制御装置１３４（図８Ａ参照）、及びシステムロジック１３６（図８Ａ参照）を用いて、リアルタイムで、選択された警報設定値感度レベル１００（図５Ｂ参照）を自動的に変更することを含む。
【００６８】
１つ又は複数の感度選択可能煙検知アセンブリ７０（図４Ａ〜図４Ｂ参照）を使用する工程３０４は、以下の１つ又は複数を含む感度レベル決定ファクター１３０（図８Ｂ参照）に基づいて、リアルタイムで、選択された警報設定値感度レベル１００（図５Ｂ参照）を自動的に変更することを含む。すなわち、航空機１２ａ（図１参照）の飛行目的１３０ａ（図８Ｂ参照）、航空機１２ａ（図１参照）の貨物のタイプ１３０ｂ（図８Ｂ参照）、航空機１２ａ（図１参照）のコンパートメントゾーン特定エリアのタイプ１３０ｃ（図８Ｂ参照）、航空機１２ａ（図１参照）の占有状態１３０ｄ（図８Ｂ参照）、航空機エリア７４（図４Ａ〜図４Ｂ及び図８Ａ参照）内の煙濃度レベル１３０ｅ（図８Ｂ参照）、航空機エリア７４（図４Ａ〜図４Ｂ及び図８Ａ参照）内の水分含有量１３０ｆ（図８Ｂ参照）、航空機エリア７４（図４Ａ〜図４Ｂ及び図８Ａ参照）内の温度１３０ｇ（図８Ｂ参照）、航空機エリア７４（図４Ａ〜図４Ｂ及び図８Ａ参照）に存在するガスの種類１３０ｈ（図８Ｂ参照）、航空機エリア７４（図８Ａ参照）に存在するガスの濃度１３０ｉ（図８Ｂ参照）、航空機エンジン動作状態１３０ｊ（図８Ｂ参照）、航空機１２ａ（図１参照）の対気速度１３０ｋ（図８Ｂ参照）、航空機１２ａ（図１参照）の高度１３０ｌ（図８Ｂ参照）、航空機のドアの開閉状態１３０ｍ（図８Ｂ参照）、航空機１２ａ（図１参照）の環境制御システム設定１０３ｏ（図８Ｂ参照）、航空機１２ａ（図１参照）の環境制御システム構成１３０ｐ（図８Ｂ参照）、航空機空調システムのオンオフ状態１３０ｑ（図８Ｂ参照）、である。
【００６９】
図７に示すように、方法３００は、貨物エリア空調システムのオンオフ状態１３０ｒ（図８Ｂ参照）の感度レベル決定ファクター１３０（図８Ａ〜８Ｂ参照）に基づいて、警報設定値感度レベル１００（図５Ｂ参照）を増減する任意選択の工程３０６をさらに含む。
【００７０】
図７に示すように、方法３００は、１つ又は複数の感度選択可能煙検知アセンブリ７０（図４Ａ〜図４Ｂ参照）が、警報設定値感度レベル１００（図５Ｂ参照）の所定の閾値１４２（図８Ａ参照）を満たす航空機エリア７４（図８Ａ参照）内の煙濃度レベル１３０ｅ（図８Ｂ参照）を測定及び検知することに応答して、警報信号１１４（図５Ｃ参照）を生成する任意選択の工程３０８を含む。
【００７１】
システム１０（図４Ａ〜図４Ｂ参照）、方法２００（図６参照）、及び方法３００（図７参照）に関する本開示の実施形態によれば、運航乗務員又は積載乗務員は、感度選択可能煙検知アセンブリ７０（図４Ａ〜図４Ｂ参照）をどの程度の感度にするかを選択変更することができる。最も感度の低い設定は、例えば、現時点における最新の認定基準設定点である。また、システム１０（図４Ａ〜図４Ｂ参照）、方法２００（図６参照）、及び方法３００（図７参照）によれば、運航乗務員又は積載乗務員は、火災発生のリスク及び誤警報のリスクの双方を考慮して、より感度の高い設定を選択してもよい。これによれば、例えば、航空機１２ａ（図４Ａ〜図４Ｂ参照）が、リチウム電池などの電池、あるいはその他の高危険性／低誤警報の可能性の貨物を搬送している場合には、運航乗務員又は積載乗務員は、感度選択可能煙検知アセンブリ７０（図４Ａ〜図４Ｂ参照）の警報設定値感度レベル１００（図５Ｂ参照）に関し、より高い感度に設定するという選択も可能である。
【００７２】
また、システム１０（図４Ａ〜図４Ｂ参照）、方法２００（図６参照）、及び方法３００（図７参照）に関する本開示の実施形態によれば、一実施形態において、警報設定値感度レベル１００（図８参照）を、運航乗務員又は積載乗務員が手動で選択することにより、２つ以上の警報設定値感度レベル１００（図５Ｂ参照）が設定可能とされ、感度選択可能煙検知アセンブリ７０（図４Ａ〜図４Ｂ、図８Ａ参照）が設定された警報設定値感度レベル１００（図８Ａ参照）に到達すると、警報信号１１４が誘発されるようにすることができる。これに代えて、別の実施形態において、システム１０（図４Ａ〜図４Ｂ参照）、方法２００（図６参照）、及び方法３００（図７参照）によれば、２つ以上の警報設定値感度レベル１００（図５Ｂ参照）を、１つ又は複数の感度選択可能煙検知アセンブリ７０（図８Ａ参照）自体を用いて設定してもよい。この場合、例えば、様々な感度レベル決定ファクター１３０（図８Ｂ参照）に基づいて、上記２つ以上の警報設定値感度レベル１００（図８Ａ参照）から選択された警報設定値感度レベル１００（図８Ａ参照）に、リアルタイムで自動的に変更することが可能となる。
【００７３】
また、システム１０（図４Ａ〜図４Ｂ参照）、方法２００（図６参照）、及び方法３００（図７参照）に関する本開示の実施形態によれば、商業用旅客機及び貨物輸送機を含む航空機に複数感度レベル設定煙検知器を適用することができる。また、生の果物や花などの貨物から発生する煙霧による誤警報の誘発を防ぐことができる。また、複数のコンパートメントゾーン特定エリア１２８（図４Ａ〜図４Ｂ参照）に配置された１つ又は複数の感度選択可能煙検知アセンブリ７０（図４Ａ〜４Ｂ、図８Ａ参照）を提供することができる。また、貨物エリア、コックピット２８（図４Ａ〜図４Ｂ参照）又はフライトデッキを含む１つ又は複数の航空機エリア７４（図４Ａ〜図４Ｂ参照）から、警報設定値感度レベル１００（図５Ｂ参照）などの感度設定を変更することができる。さらには、システム１０（図４Ａ〜図４Ｂ参照）、方法２００（図６参照）、及び方法３００（図７参照）に関する本開示の実施形態は、発煙や火災を早期に警告することができ、ひいては、運航乗務員及び／又は乗客が安全に地上に避難するための時間をより多く与えることができるように設計されている。
【００７４】
本開示は、以下の付記による実施形態を含む。
【００７５】
付記１  航空機内において選択性の煙検知感度を実現するための方法であって、
前記航空機内に１つ又は複数の感度選択可能煙検知アセンブリを設置する工程と、
前記航空機内に設置された１つ又は複数の感度選択可能煙検知アセンブリを、前記航空機内に設置された１つ又は複数の感度選択制御部に、電気的に又は無線によって接続する工程と、
前記航空機の飛行目的、前記航空機の貨物のタイプ、前記航空機のコンパートメントゾーン特定エリアのタイプ、及び、前記航空機の占有状態、の１つ又は複数を含む感度レベル決定ファクターに基づいて、前記１つ又は複数の感度選択可能煙検知アセンブリのそれぞれについて、２つ以上の警報設定値感度レベルから警報設定値感度レベルを選択する工程と、を含む方法。
【００７６】
付記２  利用者が、選択された前記警報設定値感度レベルを、異なる警報設定値感度レベルに変更するまで、前記選択された警報設定値感度レベルを維持する工程をさらに含む、付記１に記載の方法。
【００７７】
付記３  前記１つ又は複数の感度選択可能煙検知アセンブリにおける、１つ又は複数のセンサー、制御装置、及びシステムロジックを用いて、リアルタイムで、前記選択された警報設定値感度レベルを自動的に変更する工程をさらに含む、付記１に記載の方法。
【００７８】
付記４  前記１つ又は複数の感度選択可能煙検知アセンブリが、前記警報設定値感度レベルの所定の閾値を満たす、航空機エリア内の煙濃度レベルを測定及び検知することに応答して、警報信号を生成する工程をさらに含む、付記１に記載の方法。
【００７９】
付記５  前記１つ又は複数の感度選択可能煙検知アセンブリを電気的に又は無線によって接続する工程は、前記１つ又は複数の感度選択可能煙検知アセンブリを、前記１つ又は複数の感度選択可能煙検知アセンブリのそれぞれに配置された、又はこれに隣接して配置された煙感度選択制御スイッチを含む１つ又は複数の感度選択制御部に、電気的に又は無線によって接続することを含む、付記１に記載の方法。
【００８０】
付記６  前記１つ又は複数の感度選択可能煙検知アセンブリを電気的に又は無線によって接続する工程は、コックピット、キャビン／乗客エリア、メインデッキ貨物室、電気装備品室、前方貨物室、ウィングボックス、後方貨物室、バルク貨物室、クローゼット／荷物保管コンパートメント、化粧室、乗務員休憩室、及びギャレーを含む１つ又は複数の航空機エリアに配置された煙感度選択制御スイッチを含む１つ又は複数の煙感度選択制御部に、前記１つ又は複数の感度選択可能煙検知アセンブリを、電気的に又は無線によって接続することを含む、付記１に記載の方法。
【００８１】
付記７  前記警報設定値感度レベルを選択する工程は、前記１つ又は複数の感度選択可能煙検知アセンブリのそれぞれに対して遠隔的に又は近接した位置から、前記警報設定値感度レベルを選択することを含む、付記１に記載の方法。
【００８２】
付記８  前記警報設定値感度レベルを選択する工程は、マスター感度選択制御部を用いて、前記１つ又は複数の感度選択可能煙検知アセンブリのすべてについて、一度に前記警報設定値感度レベルを選択及び設定すること含む、又は、選択的感度選択制御部を用いて、前記１つ又は複数の感度選択可能煙検知アセンブリの１つ又は複数について、一度に前記警報設定値感度レベルを選択及び設定することを含む、付記１に記載の方法。
【００８３】
付記９  前記警報設定値感度レベルを選択する工程は、環境制御システム設定の感度レベル決定ファクターに基づいて、前記警報設定値感度レベルを選択することを含む、付記１に記載の方法。
【００８４】
付記１０  航空機内において選択性の煙検知感度を実現するための方法であって、
前記航空機内に１つ又は複数の感度選択可能煙検知アセンブリを設置する工程と、
２つ以上の警報設定値感度レベルから選択された警報設定値感度レベルを、航空機システム状態及び航空機構成状態の１つ又は複数を含む感度レベル決定ファクターに基づいて、リアルタイムで自動的に変更するために、前記航空機内の前記１つ又は複数の感度選択可能煙検知アセンブリを使用する工程と、を含む、方法。
【００８５】
付記１１  貨物エリア空調システムのオンオフ状態の感度レベル決定ファクターに基づいて、前記警報設定値感度レベルを増減する工程をさらに含む、付記１０に記載の方法。
【００８６】
付記１２  前記１つ又は複数の感度選択可能煙検知アセンブリが、前記警報設定値感度レベルの所定の閾値を満たす航空機エリア内の煙濃度レベルを測定及び検知することに応答して、警報信号を生成する工程をさらに含む、付記１０に記載の方法。
【００８７】
付記１３  前記１つ又は複数の感度選択可能煙検知アセンブリを使用する工程は、前記１つ又は複数の感度選択可能煙検知アセンブリの１つ又は複数のセンサー、制御装置、及びシステムロジックを用いて、リアルタイムで、前記選択された警報設定値感度レベルを自動的に変更する工程をさらに含む、付記１０に記載の方法。
【００８８】
付記１４  前記１つ又は複数の感度選択可能煙検知アセンブリを使用する工程は、航空機の飛行目的、航空機の貨物のタイプ、航空機のコンパートメントゾーン特定エリアのタイプ、航空機の占有状態、航空機エリア内の煙濃度レベル、航空機エリア内の水分含有量、航空機エリア内の温度、航空機エリアに存在するガスの種類、航空機エリアに存在するガスの濃度、航空機エンジン動作状態、航空機の対気速度、航空機の高度、航空機のドアの開閉状態、航空機の環境制御システム設定、航空機の環境制御システム構成、航空機空調システムのオンオフ状態、の１つ又は複数を含む感度レベル決定ファクターに基づいて、リアルタイムで、前記選択された警報設定値感度レベルを自動的に変更する工程を含む、付記１０に記載の方法。
【００８９】
付記１５  航空機内において選択性の煙検知感度を実現するためのシステムであって、
前記航空機内に設置された１つ又は複数の感度選択可能煙検知アセンブリを含み、各感度選択可能煙検知アセンブリは、
感度選択可能煙検知装置と、
前記感度選択可能煙検知装置に電気的に又は無線によって接続された１つ又は複数のセンサーと、
前記感度選択可能煙検知装置に接続された制御装置と、
前記感度選択可能煙検知装置又は前記制御装置に接続されており、航空機システム状態及び航空機構成状態の１つ又は複数を含む感度レベル決定ファクターに基づいて、リアルタイムで、２つ以上の警報設定値感度レベルを自動的に変更するように構成されたシステムロジックと、
前記１つ又は複数のセンサーによって測定され、各感度選択可能煙検知装置に入力されるか、あるいは前記制御装置に入力されて、前記システムロジックによって処理される１つ又は複数のシステム入力と、
前記警報設定値感度レベルがトリガーされた際に生成されるシステム出力と、を含む、システム。
【００９０】
付記１６  前記１つ又は複数の感度選択可能煙検知アセンブリに接続されたセーフガードアセンブリをさらに含み、前記セーフガードアセンブリは、ソフトウェア的なセーフガードアセンブリ、物理的なセーフガードアセンブリ、及び、場所的なセーフガードアセンブリの１つ又は複数を含む、付記１５に記載のシステム。
【００９１】
付記１７  前記制御装置は、コンピュータープロセッサー装置を含む、付記１５に記載のシステム。
【００９２】
付記１８  前記システムロジックは、アルゴリズム、ソフトウェアプログラム、ファームウェアプログラムの１つ又は複数を含む、付記１５に記載のシステム。
【００９３】
付記１９  前記感度レベル決定ファクターは、航空機の飛行目的、航空機の貨物のタイプ、航空機のコンパートメントゾーン特定エリアのタイプ、航空機の占有状態、航空機エリア内の煙濃度レベル、航空機エリア内の水分含有量、航空機エリア内の温度、航空機エリアに存在するガスの種類、航空機エリアに存在するガスの濃度、航空機エンジン動作状態、航空機の対気速度、航空機の高度、航空機のドアの開閉状態、航空機の環境制御システム設定、航空機の環境制御システム構成、航空機空調システムのオンオフ状態、及び、貨物エリア空調システムのオンオフ状態、の１つ又は複数をさらに含む、付記１５に記載のシステム。
【００９４】
付記２０  前記システム出力は、前記警報設定値感度レベルがトリガーされた際に生成される警報信号を含む、付記１５に記載のシステム。
【００９５】
本開示に関連する分野の当業者であれば、上記の説明及び関連図面に示された教示を受けて、開示の様々な変形例や他の実施形態を思いつくであろう。ここに記載した実施形態は、単なる例であり、限定的なものではなく、網羅的なものでもない。また、特定的な用語を用いているが、一般的且つ説明的な意味でのみ用いており、何ら限定を意図したものではない。
【図１】
2016104617.tif 000003
【図２】
2016104617.tif 000004
【図３】
2016104617.tif 000005
【図４Ａ】
2016104617.tif 000006
【図４Ｂ】
2016104617.tif 000007
【図５Ａ】
2016104617.tif 000008
【図５Ｂ】
2016104617.tif 000009
【図５Ｃ】
2016104617.tif 000010
【図６】
2016104617.tif 000011
【図７】
2016104617.tif 000012
【図８Ａ】
2016104617.tif 000013
【図８Ｂ】
2016104617.tif 000014
【外国語明細書】
2016104617000001.pdf
2016104617000002.pdf
2016104617000003.pdf
2016104617000004.pdf